(57)【要約】      （修正有）【課題】コピー機の原稿台上にセットされた原稿紙の上に載置されても、その上から原稿台カバーで押圧することによって原稿紙全体を原稿台に密着させることができるとともに、取り扱いがしやすいペーパウェイトを提供する。【解決手段】コピー機の原稿台にセットされた原稿紙の上面に載置されるペーパウェイト１０であって、略矩形状で所定の大きさからなる枠体１２と、枠体１２の枠内に架設される架設部１４とからなるとともに、全体にわたって厚さが略均一な薄板状に形成され、架設部１４は、短冊状の第１の架設板１６と短冊状の第２の架設板１８とからなるとともに、両者の長手方向どうしを交差させて形成される。【選択図】図１
0003145871.tif 000002
【実用新案登録請求の範囲】
【請求項１】
コピー機の原稿台にセットされた原稿紙の上面に載置されるペーパウェイトであって、
略矩形状で所定の大きさからなる枠体と、
前記枠体の枠内に架設される架設部とからなるとともに、全体にわたって厚さが略均一な薄板状に形成され、
前記架設部は、
短冊状の第１の架設板と短冊状の第２の架設板とからなるとともに、両者の長手方向どうしを交差させて形成されることを特徴とするペーパウェイト。
【請求項２】
前記第１の架設板は、前記枠体の対向する二辺のそれぞれの中央部間に架設され、前記第２の架設板は、前記枠体の前記二辺と異なる二辺のそれぞれの中央部間に架設されることを特徴とする請求項１に記載のペーパウェイト。
【請求項３】
前記第１の架設板は、前記枠体の対角間に架設され、前記第２の架設板は、前記枠体の前記対角と異なる対角間に架設されることを特徴とする請求項１に記載のペーパウェイト。
【請求項４】
合成樹脂よりなることを特徴とする請求項１〜３のいずれかに記載のペーパウェイト。
【請求項５】
前記枠体は、外形が略Ａ４サイズで厚さが略５ｍｍで枠部分の幅が略３０ｍｍで形成され、前記第１の架設板及び第２の架設板は、それぞれ幅が略３０ｍｍで厚さが略５ｍｍで形成されることを特徴とする請求項２〜４のいずれかに記載のペーパウェイト。
【考案の詳細な説明】
【技術分野】
【０００１】
本考案は、原稿紙等の紙の上面に載置されて当該紙の移動を規制するペーパウェイトに関し、特にコピー機の原稿台にセットされた原稿紙の上に載置するペーパウェイトに関する。
【背景技術】
【０００２】
従来から、原稿紙をコピー機の原稿台の上にセットしてコピーするが、その際できるだけ鮮明なコピーを得るため、原稿紙全体を原稿台に密着させた状態でコピーすることが望ましい。そのため、殆どのコピー機は、例えば矩形状の板からなる原稿台カバーを備え、この原稿台カバーで原稿紙を原稿台に押圧させつつコピー可能としている。この原稿台カバーと原稿台とは、蝶番等で開閉自在に連結されているコピー機が殆どであり、原稿紙を一枚ずつ原稿台に載置してコピーする場合、当該原稿台カバーの開閉を行う必要がある。
【０００３】
そのため、例えば原稿台カバーを閉める際に発生する風圧の影響により、原稿台に一旦セットした原稿紙が移動して斜めになったままでコピーされる虞があるとういう問題があった。
【０００４】
また、例えば静電気等によって原稿台カバーの裏面に原稿紙が吸着することがある。このような状態で原稿台カバーを開けると、原稿台カバーと一緒に原稿紙が上昇し、吸着力が低下したところで落下して、例えばコピー機と壁の間に挟まってしまい、当該原稿紙の取り出しが困難になる虞があるという問題があった。
【０００５】
このような、原稿紙を一枚ずつ原稿台にセットしてコピーする際に生じやすい問題に対して、様々な提案がなされている（例えば特許文献１参照）。
特許文献１によれば、ずれ止め付きおさえ部Ｉとズレ止め付きおさえ部ＩＩとを連結部で連結したものにつまみをつけたＩ型をした文鎮が開示されている。
【特許文献１】実開平６−７９５９４
【考案の開示】
【考案が解決しようとする課題】
【０００６】
しかし、特許文献１によれば、つまみを設けている構成であるため、原稿台カバーで文鎮を押圧する際に、原稿台カバーがつまみの部分に当るのでおさえ部全体を押圧し難いという問題や、つまみの先端が原稿台カバーに当って原稿台カバーに傷がつきやすい虞があるという問題があった。仮に、特許文献１の文鎮からつまみを除いたとしても、文鎮はＩ型となっているため、原稿紙の４辺とも押えることはできない。そのため、特許文献１の文鎮からつまみを除いた場合でも、原稿紙全体を原稿台へ密着させることが困難になる虞があるという問題があった。
【０００７】
そこで、本考案は、上記従来の問題に鑑みてなされたものであり、その目的は、コピー機の原稿台上にセットされた原稿紙の上に載置されても、その上から原稿台カバーで押圧することによって原稿紙全体を原稿台に密着させることができるとともに、取り扱いがしやすいペーパウェイトを提供することにある。
【課題を解決するための手段】
【０００８】
請求項１の考案は、コピー機の原稿台にセットされた原稿紙の上面に載置されるペーパウェイトであって、略矩形状で所定の大きさからなる枠体と、前記枠体の枠内に架設される架設部とからなるとともに、全体にわたって厚さが略均一な薄板状に形成され、前記架設部は、短冊状の第１の架設板と短冊状の第２の架設板とからなるとともに、両者の長手方向どうしを交差させて形成されることを特徴とする。
【０００９】
請求項２の考案は、請求項１に記載の考案において、前記第１の架設板は、前記枠体の対向する二辺のそれぞれの中央部間に架設され、前記第２の架設板は、前記枠体の前記二辺と異なる二辺のそれぞれの中央部間に架設されることを特徴とする。
【００１０】
請求項３の考案は、請求項１に記載の考案において、前記第１の架設板は、前記枠体の対角間に架設され、前記第２の架設板は、前記枠体の前記対角と異なる対角間に架設されることを特徴とする。
【００１１】
請求項４の考案は、請求項１〜３のいずれかに記載の考案において、合成樹脂よりなることを特徴とする。
【００１２】
請求項５の考案は、請求項２〜４のいずれかに記載の考案において、前記枠体は、外形が略Ａ４サイズで厚さが略５ｍｍで枠部分の幅が略３０ｍｍで形成され、前記第１の架設板及び第２の架設板は、それぞれ幅が略３０ｍｍで厚さが略５ｍｍで形成されることを特徴とする。
【考案の効果】
【００１３】
請求項１に係る考案によれば、コピー機の原稿台にセットされた原稿紙の上面に載置されるペーパウェイトであって、略矩形状で所定の大きさからなる枠体と、前記枠体の枠内に架設される架設部とからなるとともに、全体にわたって厚さが略均一な薄板状に形成され、前記架設部は、短冊状の第１の架設板と短冊状の第２の架設板とからなるとともに、両者の長手方向どうしを交差させて形成される構成であるから、例えば前記枠体の外形を原稿紙と略同じ大きさとすれば、原稿台の上にセットした原稿紙の上に当該ペーパウェイトを載置し、その上から原稿台カバーで当該ペーパウェイトを押圧することで原稿紙全体を原稿台に密着させることができるとともに、例えば架設部を手で保持しながらペーパウェイトを持ち上げたり運搬することができる等の取り扱いがしやすいペーパウェイトを提供できる。
【００１４】
また、請求項２に係る考案によれば、前記第１の架設板は、前記枠体の対向する二辺のそれぞれの中央部間に架設され、前記第２の架設板は、前記枠体の前記二辺と異なる二辺のそれぞれの中央部間に架設される構成であるから、薄板状に形成されていても前記架設板によって剛性が高いペーパウェイトを提供できる。
【００１５】
また、請求項３に係る考案によれば、前記第１の架設板は、前記枠体の対角間に架設され、前記第２の架設板は、前記枠体の前記対角と異なる対角間に架設される構成であるから、薄板状に形成されていても前記架設板によって剛性が高いペーパウェイトを提供できる。
【００１６】
また、請求項４に係る考案によれば、合成樹脂よりなる構成であるから、例えば合成樹脂製の薄板を打ち抜き加工により形成できる等簡単な加工で安価にペーパウェイトを提供できる。
【００１７】
また、請求項５に係る考案によれば、前記枠体は、外形が略Ａ４サイズで厚さが略５ｍｍで枠部分の幅が略３０ｍｍで形成され、前記第１の架設板及び第２の架設板は、それぞれ幅が略３０ｍｍで厚さが略５ｍｍで形成される構成であるから、特に原稿紙において主流のサイズであるＡ４サイズの原稿紙全体を原稿台に密着させる際に好適であるとともに、例えば前記架設板の交差部分を上から指先で摘んで当該ペーパウェイトを持ち上げる際により摘み易い等、取り扱いがさらにしやすいペーパウェイトを提供できる。
【考案を実施するための最良の形態】
【００１８】
以下、本考案の実施形態について説明する。
本実施形態のペーパウェイトは、コピー機の原稿台にセットされた原稿紙の上面に載置されて原稿紙の移動を規制するものである。そして、本実施形態のペーパウェイトは、略矩形状で所定の大きさからなる枠体と、前記枠体の枠内に架設される架設部とからなるとともに、全体にわたって厚さが略均一な薄板状に形成され、前記架設部は、短冊状の第１の架設板と短冊状の第２の架設板とからなるとともに、両者の長手方向どうしを交差させて形成される。したがって、コピー機の原稿台上にセットされた原稿紙の上に載置されても、その上から原稿台カバーで押圧することによって原稿紙全体を原稿台に密着させることができるとともに、取り扱いがしやすいものである。
【００１９】
以下、本考案に好適な実施形態の例について、図面を用いて説明する。
まず、本考案の第1実施形態に係るペーパウェイトについて図１及び図２を用いて説明する。図１は、本実施形態のペーパウェイトの平面図である。図２は、図１のＡ−Ａ´線断面図である。
本実施形態のペーパウェイト１０は、図１に示すように、枠体１２と、架設部１４とからなる。
【００２０】
まず、枠体１２は、図１及び図２に示すように、平面視略矩形状で所定の大きさを有する額縁状板材で形成される。より詳しくは、枠体１２は、その外形が略Ａ４サイズで形成され、図１及び図２に示すように、枠部分の幅Ａ，Ｂが略３０ｍｍで略均一な厚さ略５ｍｍを有して形成される。枠体の外形は、本実施形態の略Ａ４サイズに限るものではなく、例えば略Ａ３サイズ、略Ｂ５サイズ等原稿紙のサイズに応じたサイズとしてもよい。  
【００２１】
次に、架設部１４は、図１に示すように、第１の架設板１６と、この第１の架設板１６に交差する第２の架設板１８とからなる。
【００２２】
第１の架設板１６は、図１及び図２に示すように、短冊状板材で形成される。具体的には第１の架設板１６は、枠体１２の略縦辺の長さで略３０ｍｍの幅Ｃを有し、略５ｍｍの略均一な厚さＴを有する。
【００２３】
一方、第２の架設板１８は、図１及び図２に示すように、第１の架設板１６よりやや短い短冊状板材で形成される。具体的には、第２の架設板１８は、枠体１２の略横辺の長さで略３０ｍｍの幅Ｄを有し、略５ｍｍの略均一な厚さＴを有する。
【００２４】
このように形成される第１の架設板１６と第２の架設板１８とは、図１に示すように、両者の長手方向どうしを交差させて形成される。
そして、第１の架設板１６は、図１に示すように、枠体１２の対向する二辺（１２ａ，１２ｂ）のそれぞれの中央部間に架設される。一方、第２の架設板１８は、図１に示すように、枠体１２の前記二辺（１２ａ，１２ｂ）と異なる二辺（１２ｃ，１２ｄ）のそれぞれの中央部間に架設される。
したがって、架設部１４は、図１に示すように、平面視で略十字状に形成され、ペーパウェイト１０全体も平面視で田の字状に形成される。
【００２５】
その際、第１の架設板１６及び第２の架設板１８は、図２に示すように、枠体１２の板面を含む面Ｍと略同一面内に配置された状態で枠内に架設される。したがって、ペーパウェイト１０は、全体にわたって厚さＴ（略５ｍｍ）が略均一な薄板状（図１、図２及び図４参照）に形成される構成となっているのである。
【００２６】
本実施形態のペーパウェイト１０は、例えば外形が略Ａ４サイズで厚さが略５ｍｍの透明な合成樹脂よりなる板材を平面視略田の字状（図１参照）に打ち抜き加工することで製作することができる。
【００２７】
なお、ペーパウェイトは、透明な合成樹脂によるものに限るものではなく、例えば半透明或いは不透明な合成樹脂であってもよいし、アルミ等の金属製であってもよい。
【００２８】
このように構成される本実施形態のペーパウェイト１０の使用例について図３〜図５を用いて説明する。
図３は、本実施形態のペーパウェイト１０の使用例を説明する斜視説明図である。図４は、本実施形態のペーパウェイト１０の使用例を説明する側面説明図である。図５は、本実施形態のペーパウェイト１０の使用例を説明する斜視説明図である。
【００２９】
図３では、原稿台カバー２４が、コピー機２０の原稿台２２に蝶番２６ａ，２６ｂを介して開閉自在に連結された様子を示している。
まず、ペーパウェイト１０を使用する際には、図３及び図４に示すように、コピー機２０の原稿台２２に原稿紙２８をセットし、原稿紙２８の上面にペーパウェイト１０を載置する。その際、作業者は、ペーパウェイト１０と原稿紙２８とを重ね合わせ状に配置する必要があるが、本実施形態のペーパウェイト１０によれば、図５に示すように、例えば架設部１４の交差部分を指先で摘みながら移動させることで、ペーパウェイト１０を所定の位置に容易に配置できる。例えばＡ４サイズの平板よりなるペーパウェイトを、片手で保持して原稿紙の上に重ね合わせ状に配置する作業に比べても容易にかつ迅速に行うことができる。
【００３０】
そして、図４に示すように、原稿台カバー２４を倒してその裏面でペーパウェイト１０を押圧する。その際、ペーパウェイト１０は、全体にわたって厚さが略均一な薄板状に形成されているので、図４に示すように、原稿台カバー２４の裏面をペーパウェイト１０の上面に密着状としつつペーパウェイト１０を原稿紙２８に押圧可能となる。したがって、原稿紙２８全体を原稿台２２に密着させることができる。
特に、本実施形態の枠体１２は、その枠部分の幅（図１参照）が略３０ｍｍなので、Ａ４サイズの原稿紙の周辺部分を確実に押圧可能となる。
【００３１】
次に、コピーが終了するとペーパウェイト１０を持ち上げる。その際、図５に示すように、例えば架設部１４の交差部分を指先で挟持するように摘み上げることで容易に持ち上げることができる。このように、本実施形態のペーパウェイト１０によれば、ペーパウェイトを持ち上げたり移動させたりする際の取り扱いがしやすい。
特に、本実施形態の第１の架設板１６及び第２の架設板１８は、その幅が略３０ｍｍで、厚さが略５ｍｍで形成されているので手の指で摘む際に更に好適である。
【００３２】
次に、本考案の第２実施形態について、図６を用いて説明する。図６は、本実施形態に係るペーパウェイト５０を説明する平面図である。
第２実施形態と第１実施形態との相違点は、図６に示すように、架設部５２が、枠体１２の対角間に架設される点である。図６において同一部材には同一の符号を付しその説明は省略する。
【００３３】
本実施形態の架設部５２は、図６に示すように、枠体１２の略対角間の長さを有する短冊状の第１の架設板５４と、第１の架設板５４と略同形で同サイズの第２の架設板５６とからなり、両者の長手方向どうしを交差させて形成される。
そして、第１の架設板５４は、枠体１２の一対の対角（１２ｅ，１２ｆ）間に架設され、第２の架設板５６は、枠体１２の前記対角（１２ｅ，１２ｆ）と異なる対角（１２ｇ，１２ｈ）間に架設される。
したがって、本実施形態のペーパウェイト５０は、図６に示すように、平面視で口の字の中に×字を配置した形状となっている。
このような構成とすることにより、特に略正方形よりなる枠体の剛性向上に好適となる。
【００３４】
これまで述べてきたように、本実施形態のペーパウェイト１０，５０によれば、コピー機２０の原稿台２２上にセットされた原稿紙２８の上に載置されても、その上から原稿台カバー２４で押圧することによって原稿紙２８全体を原稿台２２に密着させることができるとともに、取り扱いがしやすいペーパウェイトを提供できる。
【００３５】
以上、本考案の実施形態のうちのいくつかを図面に基づいて詳細に説明したが、これらはあくまでも例示であり、当業者の知識に基づいて種々の変形、改良を施した他の形態で本考案を実施することが可能である。
【図面の簡単な説明】
【００３６】
【図１】本考案の第１実施形態に係るペーパウェイトの正面図である。
【図２】図１のＡ−Ａ´線断面図である。
【図３】本考案の第１実施形態に係るペーパウェイトの使用例の説明図である。
【図４】本考案の第１実施形態に係るペーパウェイトの使用例の説明図である。
【図５】本考案の第１実施形態に係るペーパウェイトの使用例の説明図である。
【図６】本考案の第２実施形態に係るペーパウェイトの正面図である。
【符号の説明】
【００３７】
１０，５０  ペーパウェイト
１２  枠体        
１４，５２  架設部  
１６，５４  第１の架設板      
１８，５６  第２の架設板      
２０  コピー機
２２  原稿台
２８  原稿紙      
【図１】
0003145871.tif 000003
【図２】
0003145871.tif 000004
【図３】
0003145871.tif 000005
【図４】
0003145871.tif 000006
【図５】
0003145871.tif 000007
【図６】
0003145871.tif 000008